(57)【特許請求の範囲】
【請求項１】
ＰＣ床板の形状が平面視で長辺部及び短辺部を備えた矩形状にされ、ＰＣ床板の長辺部及び短辺部の少なくとも一つの辺部が平面視で波型にされ、該波型を同形の多数の２等辺三角形の各底辺を直線上に続けて並べて形成される多数の２等辺三角形の各等辺部が連続している波形の尖った部分を除いた形状にされ、ＰＣ床板が下側の鉄筋と上側の鉄筋とで補強され、下側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、下側の鉄筋の縦鉄筋又は横鉄筋の端が波型の各頂部にくるように配され、上側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、上側の鉄筋の縦鉄筋又は横鉄筋の端よりの部分が波型の各谷部を通るように配されて、波型の各谷部の上半分の端面から所定の長さ突出して、その突出した鉄筋部分により接合鉄筋の接合用部分が形成されており、対の各ＰＣ床板の波型にされた前記辺部の端面間にコンクリート打設用の空間が形成されるように、対のＰＣ床板の前記辺部の波型の端縁よりの部分を建物躯体の鉄骨梁上に載置し、各ＰＣ床板の前記辺部の前記接合鉄筋の接合用部分を前記空間中に突出させ、一方のＰＣ床板の前記空間中に突出した接合鉄筋の接合用部分と他方のＰＣ床板の前記空間中に突出した接合鉄筋の接合用部分とが略同じ平面上で接近して略平行になるようにし、前記空間内において略平行された対の接合鉄筋の接合用部分に二つの鋼製のスリーブを間隔をおいて嵌め、各スリーブのウェッジ孔にウェッジを圧入して、接合鉄筋の接合用部分を互いに接合し、前記空間に面する鉄骨梁の上面に頭部のあるスタッドを間隔をおいて多数植設しておき、前記空間内にコンクリートを打設して鉄骨梁と各ＰＣ床板及び各ＰＣ床板同士を接合することを特徴とする建物躯体の鉄骨梁へのＰＣ床板の固着方法。
【請求項２】
ＰＣ床板が上下に間隔をおいて埋設された２層の格子状鉄筋で補強され、ＰＣ床板の上側の格子状鉄筋の縦鉄筋又は横鉄筋からなる接合鉄筋の接合用部分を波型の谷部の上半分の端面から突出させる辺部にあっては、ＰＣ床板の下側の格子状鉄筋の周囲に波型の端縁部の端面に沿って波形に屈曲させたいな妻鉄筋が埋め込まれ、ＰＣ床板の下半分の波型の端縁よりの部分がいな妻鉄筋で補強され、かつＰＣ床板の下半分の波型の端縁部とＰＣ床板の上半分の波型の端縁部との間に段部があり、ＰＣ床板の上半分の波型の端縁部が前記段部分だけＰＣ床板の下半分の波型の端面から突出しているＰＣ床板を使うことを特徴とする請求項１に記載の建物躯体の鉄骨梁へのＰＣ床板の固着方法。
【請求項３】
ＰＣ床板の形状を平面視で長辺部及び短辺部を備えた矩形状にし、ＰＣ床板の長辺部及び短辺部の少なくとも一つの辺部を平面視で波型にし、該波型を同形の多数の２等辺三角形の各底辺を直線上に続けて並べて形成される多数の２等辺三角形の各等辺部が連続している波形の尖った部分を除いた形状にし、対面する各ＰＣ床板の辺部の波型の端面間にコンクリート打設用の空間が形成されるように、対のＰＣ床板の辺部の端縁よりの部分を建物躯体の鉄骨梁上に載置し、前記各ＰＣ床板には、定着用鉄筋の端部に接合された接合用鉄板が前記床板の波型の端面よりの部分に間隔をおいて位置するように、多数の接合用鉄板及び該接合用鉄板に端部を接合した定着用鉄筋が前記床板中に埋め込まれていて、各接合用鉄板の上側に形成された凹部に各接合用鉄板の上面が露出させてあり、両方のＰＣ床板の対応する接合用鉄板間にそれぞれ細長の連結用鉄材を配し、各連結用鉄材の接合用鉄板に対応する部分を接合用鉄板に溶接し、前記空間に面する鉄骨梁の上面に頭部のあるスタッドを間隔をおいて多数植設しておき、前記打設空間内にコンクリートを打設して鉄骨梁と各ＰＣ床板及び各ＰＣ床板同士を接合することを特徴とする建物躯体の鉄骨梁へのＰＣ床板の固着方法。
【請求項４】
ＰＣ床板の形状を平面視で長辺部及び短辺部を備えた矩形状にし、ＰＣ床板の長辺部及び短辺部の少なくとも一つの辺部を平面視で波型にし、該波型を同形の多数の２等辺三角形の各底辺を直線上に続けて並べて形成される多数の２等辺三角形の各等辺部が連続している波形の尖った部分を除いた形状にし、対のＰＣ床板を一方のＰＣ床板の波型の頂部が他方のＰＣ床板の波型の頂部に対面し、前記対のＰＣ床板を一方のＰＣ床板の波型の谷部が他方のＰＣ床板の波型の谷部に対面するように、対のＰＣ床板の辺部の端縁よりの部分を建物躯体の鉄骨梁上に載置し、対面する各ＰＣ床板の端面間にコンクリート打設用の空間を形成し、前記各ＰＣ床板には、所定長さの定着用鉄筋の端部に接合された接合用鉄板が略水平にかつＰＣ床板の波型の頂部に対応する端縁よりの部分にくるように、多数の接合用鉄板及び該接合用鉄板に端部を接合した所定長さの定着用鉄筋が床板中に埋め込まれていて、ＰＣ床板の各接合用鉄板の上側に凹部が形成され、各接合用鉄板の上面の一部が前記凹部に露出させてあり、両方のＰＣ床板の対応する接合用鉄板間にそれぞれ細長の連結用鉄材を配し、各連結用鉄材の接合用鉄板に対応する部分を接合用鉄板に溶接し、前記空間に面する鉄骨梁の上面に頭部のあるスタッドを間隔をおいて多数植設しておき、前記打設空間内にコンクリートを打設して鉄骨梁と各ＰＣ床板及び各ＰＣ床板同士を接合することを特徴とする建物躯体の鉄骨梁へのＰＣ床板の固着方法。
【請求項５】
対面するＰＣ床板の波型の一つおき又は二つ以上おきの頂部に対応させてそれぞれ接合用鉄板が埋め込まれ、各接合用鉄板の上側にＰＣ床板の上方に向けて開放しかつＰＣ床板の波型の頂部の端面に達するように凹部が形成され、かつ各凹部に各接合用鉄板の上面の一部が露出しているＰＣ床板を使うことを特徴とする請求項３又は４記載の建物躯体の鉄骨梁へのＰＣ床板の固着方法。
【請求項６】
ＰＣ床板が上下に間隔をおいて埋設された２層の格子状鉄筋で補強され、上側の格子状鉄筋の縦鉄筋及び横鉄筋の上側に接合用鉄板及び該接合用鉄板に端部を接合した所定長さの定着用鉄筋が埋設されているＰＣ床板を使うことを特徴とする請求項３ないし５のいずれか一つの項に記載の建物躯体の鉄骨梁へのＰＣ床板の固着方法。
【請求項７】
ＰＣ床板が上下に間隔をおいて埋設された２層の格子状鉄筋で補強され、下側の格子状鉄筋の周囲に波型の端縁部の端面に沿って波形に屈曲させたいな妻鉄筋が埋設され、ＰＣ床板の下半分の波型の端縁よりの部分がいな妻鉄筋で補強され、ＰＣ床板の接合用鉄板の埋設部に対応しない端縁部の波型の頂部及び波型の谷部にあっては、ＰＣ床板の下半分の波型の端縁部とＰＣ床板の上半分の波型の端縁部との間に段部があり、上半分の波型の端縁部が前記段部分だけＰＣ床板の下半分の波型の端縁部から突出し、ＰＣ床板の接合用鉄板の埋設部に対応する端縁部の波型の頂部及びその近傍にあっては、上半分の端縁部の波型の頂部及びその近傍の端面がＰＣ床板の下半分の波型の頂部及びその近傍の端面と面一になっているＰＣ床板を使うことを特徴とする請求項３ないし６のいずれか一つの項に記載の建物躯体の鉄骨梁へのＰＣ床板の固着方法。
【請求項８】
鉄骨梁の上側面に多数のボルト・ナットにより前記鉄骨梁に固定された梁接続用のカバープレートが存在する鉄骨梁上にＰＣ床板を載置して、該床板を鉄骨梁に固着するＰＣ床板として、前記カバープレートに対応するＰＣ床板の矩形状の辺部の部分に大きな凹欠部を形成し、前記辺部と平行な前記凹欠部の部分に前記辺部の波型と同じ波型を形成し、前記凹欠部の波型の頂部に対応する部分に接合用鉄板及び該接合用鉄板に端部を接合した定着用鉄筋を埋設し、波型の頂部の接合用鉄板の埋設部の上側に前記床板の上方に向けて開放した凹部を形成し、各凹部に接合用鉄板の上面の一部を露出させ、または前記凹欠部の上半分の波型の谷部の端面から前記床板の上半分に埋設された格子状鉄筋の縦鉄筋又は横鉄筋からなる接合用鉄筋の接合用部分を突出させてなるＰＣ床板を使うことを特徴とする請求項１ないし７のいずれか一つの項に記載の建物躯体の鉄骨梁へのＰＣ床板の固着方法。
【請求項９】
ＰＣ床板の形状が平面視で波型の長辺部及び短辺部を備えた矩形状にされ、前記波型を同形の多数の２等辺三角形の各底辺を直線上に続けて並べて形成される多数の２等辺三角形の各等辺部を連続させてなる波形の尖った部分を除いた形状にされ、ＰＣ床板中に２層の格子状鉄筋が上下に間隔をおいて埋め込まれ、ＰＣ床板の短辺部においては、上側の格子状鉄筋の縦鉄筋がＰＣ床板の上半分の端縁の波型の各谷部の端面から突出して、それらの突出した鉄筋部分により接合鉄筋の接合用部分が構成され、ＰＣ床板の長辺部においては、接合用鉄板及び該接合用鉄板に端部を接合した定着用鉄筋がＰＣ床板の上半分の前記波型の一つおき又は二つ以上おきの頂部に対応する部分に略水平に埋め込まれ、波型の前記頂部にある各接合用鉄板の上側に前記床板の上方に向けて開放させて凹部が形成され、各凹部に接合用鉄板の上面の一部が露出していることを特徴とするＰＣ床板。
【発明の詳細な説明】
【０００１】
【発明の属する技術分野】
この発明は、建物躯体の鉄骨梁へのプレキャストコンクリート造の床板（この明細書ではＰＣ床板という）の固着方法及びＰＣ床板に関する。
【０００２】
【従来の技術】
従来の建物躯体の鉄骨梁へのＰＣ床板の固着方法及びＰＣ床板には、例えば、次の▲１▼及び▲２▼のようなものがある。
▲１▼２枚のＰＣ床板の端部を鉄骨梁上に載せて互いに端面を対向させ、前記端面間のコンクリートの打設空間に各床板中に埋設した鉄筋の前記端面から突出する接合用部分を位置させ、前記打設空間にコンクリートを打設して各ＰＣ床板を互いに接合する建物躯体の鉄骨梁へのＰＣ床板の固着方法において、前記鉄骨梁の上面に該鉄骨梁の長手方向に間隔をおいて頭部のあるスタッドピンを植設し、各床板の端面から突出する鉄筋の接合用部分を平面視でＵ字状にし、各床板の端面から突出する前記Ｕ字状の接合用部分を前記スタッドピンにそれぞれ嵌めて、前記打設空間にコンクリートを打設して、各ＰＣ床板を鉄骨梁に固着する方法（例えば、特開平９−１５８３７７号公報参照）があり、この方法では、ＰＣ床板の端部が平面視で中央に長方径の突部のある凸字形になっいて、平面視の凸字形の表面が微小な凹凸のある面になっている。
▲２▼接合する２枚のＰＣ床板の端部を平面視で複数の２等辺三角形の底辺を一直線上に並べて連続させ、全体として波形状をなすようにしたＰＣ床板も提案（例えば、特開平９−１５８３７７号公報参照）されている。
【０００３】
【発明が解決しようとする課題】
上記の従来の▲１▼のＰＣ床板の固着方法は、鉄骨梁の上面に該鉄骨梁の長手方向に間隔をおいてスタッドピンを植設し、各床板中に埋設されかつその一部を各床板の端面から突出させた鉄筋の接合用分部の形状を平面視でＵ字状にし、各床板から突出する前記Ｕ字状の接合用部分を前記スタッドピンにそれぞれ嵌めて、打設空間にコンクリートを打設して、各ＰＣ床板を鉄骨梁に固着するため、各ＰＣ床板に作用する応力をスタッドピンとその周囲のコンクリートを介して鉄骨梁に伝達することができ、スタッドピンの周囲のコンクリートの降伏後においても、鉄筋のＵ字状の接合用部分がスタッドピンにそれぞれ嵌まっているから、各ＰＣ床板が鉄骨梁から外れる心配はない。しかし、前記▲１▼のＰＣ床板の固着方法は、ＰＣ床板の端部と鉄骨梁との接合強度を特に強化できるものではない。
前記▲２▼のＰＣ床板は、複数の２等辺三角形の底辺を一直線上に並べて連続させ、全体として波形状にしてあるため、大きな面内せん断耐力を有しているが、このＰＣ床板を鉄骨梁へ取付ける手段において特段の工夫が施されていない。
この発明の解決しようとする課題は、従来技術の上記の欠点を有しない建物躯体の鉄骨梁へのＰＣ床板の固着方法及びＰＣ床板を提供すること、換言すると、ＰＣ床板の建物躯体の鉄骨梁への固着作業の施工性がよく、建物躯体の鉄骨梁上にデッキプレートを配設して該デッキプレート上に鉄筋コンクリート造の床板を構築するデッキプレート床板構造と同等の構造特性を有する床板構造が得られる建物躯体の鉄骨梁へのＰＣ床板の固着方法及びＰＣ床板を提供することにある。
【０００４】
【課題を解決するための手段】
この発明の建物躯体の鉄骨梁へのＰＣ床板の固着方法は、ＰＣ床板の形状が平面視で長辺部及び短辺部を備えた矩形状にされ、ＰＣ床板の長辺部及び短辺部の少なくとも一つの辺部が平面視で波型にされ、該波型を同形の多数の２等辺三角形の各底辺を直線上に続けて並べて形成される多数の２等辺三角形の各等辺部が連続している波形の尖った部分を除いた形状にされ、ＰＣ床板が下側の鉄筋と上側の鉄筋とで補強され、下側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、下側の鉄筋の縦鉄筋又は横鉄筋の端が波型の各頂部にくるように配され、上側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、上側の鉄筋の縦鉄筋又は横鉄筋の端よりの部分が波型の各谷部を通るように配されて、波型の各谷部の上半分の端面から所定の長さ突出して、その突出した鉄筋部分により接合鉄筋の接合用部分が形成されており、対の各ＰＣ床板の波型にされた前記辺部の端面間にコンクリート打設用の空間が形成されるように、対のＰＣ床板の前記辺部の波型の端縁よりの部分を建物躯体の鉄骨梁上に載置し、各ＰＣ床板の前記辺部の前記接合鉄筋の接合用部分を前記空間中に突出させ、一方のＰＣ床板の前記空間中に突出した接合鉄筋の接合用部分と他方のＰＣ床板の前記空間中に突出した接合鉄筋の接合用部分とが略同じ平面上で接近して略平行になるようにし、前記空間内において略平行された対の接合鉄筋の接合用部分に二つの鋼製のスリーブを間隔をおいて嵌め、各スリーブのウェッジ孔にウェッジを圧入して、接合鉄筋の接合用部分を互いに接合し、前記空間に面する鉄骨梁の上面に頭部のあるスタッドを間隔をおいて多数植設しておき、前記空間内にコンクリートを打設して鉄骨梁と各ＰＣ床板及び各ＰＣ床板同士を接合することを特徴とするものである。
【０００５】
好適な実施形態においては、対のＰＣ床板を一方のＰＣ床板の波型の頂部が他方のＰＣ床板の波型の頂部に対面し、かつ前記対のＰＣ床板を一方のＰＣ床板の波型の谷部が他方のＰＣ床板の波型の谷部に対面するように、対のＰＣ床板の辺部の端縁よりの部分を建物躯体の鉄骨梁上に載置し、対面する各ＰＣ床板の端面間にコンクリート打設用の空間を形成するようにする。
また、対面するＰＣ床板の波型の谷部の端面から打設用空間内に突出した多数の接合鉄筋の接合用部分を略同じ水平面内において略同じ方向に曲げて、対のＰＣ床板の端縁よりの波型の部分を建物躯体の鉄骨梁上に載置し、各対の接合鉄筋の接合用部分を互いに接近して略平行になるようにする。
【０００６】
また、この発明の建物躯体の鉄骨梁へのＰＣ床板の固着方法は、ＰＣ床板の形状を平面視で長辺部及び短辺部を備えた矩形状にし、ＰＣ床板の長辺部及び短辺部の少なくとも一つの辺部を平面視で波型にし、該波型を同形の多数の２等辺三角形の各底辺を直線上に続けて並べて形成される多数の２等辺三角形の各等辺部が連続している波形の尖った部分を除いた形状にし、対面する各ＰＣ床板の辺部の波型の端面間にコンクリート打設用の空間が形成されるように、対のＰＣ床板の辺部の端縁よりの部分を建物躯体の鉄骨梁上に載置し、前記各ＰＣ床板には、定着用鉄筋の端部に接合された接合用鉄板が前記床板の波型の端面よりの部分に間隔をおいて位置するように、多数の接合用鉄板及び該接合用鉄板に端部を接合した定着用鉄筋が前記床板中に埋め込まれていて、各接合用鉄板の上側に形成された凹部に各接合用鉄板の上面が露出させてあり、両方のＰＣ床板の対応する接合用鉄板間にそれぞれ細長の連結用鉄材を配し、各連結用鉄材の接合用鉄板に対応する部分を接合用鉄板に溶接し、前記空間に面する鉄骨梁の上面に頭部のあるスタッドを間隔をおいて多数植設しておき、前記打設空間内にコンクリートを打設して鉄骨梁と各ＰＣ床板及び各ＰＣ床板同士を接合することを特徴とするものである。
好適な実施形態においては、対のＰＣ床板を一方のＰＣ床板の波型の頂部が他方のＰＣ床板の波型の頂部に対面し、前記対のＰＣ床板を一方のＰＣ床板の波型の谷部が他方のＰＣ床板の波型の谷部に対面するように、対のＰＣ床板の辺部の端縁よりの部分を建物躯体の鉄骨梁上に載置し、対面する各ＰＣ床板の端面間にコンクリートの打設用空間を形成するようにする。
また、前記各ＰＣ床板には、所定長さの定着用鉄筋の端部に接合された接合用鉄板が略水平にかつ前記床板の波型の頂部に対応する端縁よりの部分にくるように、多数の接合用鉄板及び該接合用鉄板に端部を接合した所定長さの定着用鉄筋が床板中に埋め込まれていて、前記床板の各接合用鉄板の上側に凹部が形成され、各接合用鉄板の上面の一部が前記凹部に露出させてあるものを使い、両方のＰＣ床板の対応する接合用鉄板間にそれぞれ細長の連結用鉄材を配し、各連結用鉄材の接合用鉄板に対応する部分を接合用鉄板に溶接するようにする。
【０００７】
好適な実施形態においては、対面するＰＣ床板の波型の一つおき又は二つ以上おきの頂部に対応させてそれぞれ接合用鉄板が埋め込まれ、各接合用鉄板の上側にＰＣ床板の上方に向けて開放しかつＰＣ床板の波型の頂部の端面に達するように凹部が形成され、かつ各凹部に各接合用鉄板の上面の一部が露出しているＰＣ床板を使う。
また、ＰＣ床板が上下に間隔をおいて埋設された２層の格子状鉄筋で補強され、上側の格子状鉄筋の縦鉄筋及び横鉄筋の上側に接合用鉄板及び該接合用鉄板に端部を接合した所定の長さの定着用鉄筋が埋設されているＰＣ床板を使う。
【０００８】
好適な実施形態においては、ＰＣ床板が上下に間隔をおいて配された２層の格子状鉄筋で補強され、上側の格子状鉄筋により補強された上半分の波型の端縁の端面が段部分だけ下側の格子状鉄筋により補強された下半分の波型の端縁から突出し、かつ下側の格子状鉄筋の周囲に波型の端縁部の端面に沿って波形に屈曲させたいな妻鉄筋が配筋されているＰＣ床板を使う。
また、鉄骨梁の上側面に多数のボルト・ナットにより前記鉄骨梁に固定された梁接続用のカバープレートが存在する鉄骨梁上にＰＣ床板を載置して、該床板を鉄骨梁に固着するＰＣ床板としては、前記カバープレートに対応するＰＣ床板の矩形状の辺部の部分に大きな凹欠部を形成し、前記辺部と平行な前記凹欠部の部分に前記辺部の波型と同じ波型を形成し、前記凹欠部の波型の頂部に対応する部分に接合用鉄板及び該接合用鉄板に端部を接合した定着用鉄筋を埋設し、波型の頂部の接合用鉄板の埋設部の上側に前記床板の上方に向けて開放した凹部を形成し、各凹部に接合用鉄板の上面の一部を露出させ、または前記凹欠部の上半分の波型の谷部の端面から前記床板の上半分に埋設された格子状鉄筋の縦鉄筋又は横鉄筋からなる接合用鉄筋の接合用部分を突出させてなるＰＣ床板を使う。
【０００９】
この発明の実施に使うＰＣ床板の一般的な構成は、ＰＣ床板の形状が平面視で波型の長辺部及び短辺部を備えた矩形状にされ、前記波型を同形の多数の２等辺三角形の各底辺を直線上に続けて並べて形成される多数の２等辺三角形の各等辺部を連続させてなる波形の尖った部分を除いた形状にされ、ＰＣ床板中に２層の格子状鉄筋が上下に間隔をおいて埋め込まれ、ＰＣ床板の短辺部においては、上側の格子状鉄筋の縦鉄筋がＰＣ床板の上半分の端縁の波型の各谷部の端面から突出して、それらの突出した鉄筋部分により接合鉄筋の接合用部分が構成され、ＰＣ床板の長辺部においては、接合用鉄板及び該接合用鉄板に端部を接合した定着用鉄筋がＰＣ床板の上半分の前記波型の一つおき又は二つ以上おきの頂部に対応する部分に略水平に埋め込まれ、波型の前記頂部にある各接合用鉄板の上側に前記床板の上方に向けて開放させて凹部が形成され、各凹部に接合用鉄板の上面の一部が露出しているが、この発明においては、建物躯体の平面視の形状（鉄骨柱、鉄骨梁等の配設位置、間隔等）等に応じた構成のＰＣ床板を使う。
【００１０】
【実施例】
実施例は、図１〜図１７に示され、この発明を鉄骨造の建物躯体の鉄骨梁にＰＣ床板を固着する場合に適用した例である。
先ず、通常のＰＣ床板１０の構成を説明する。
ＰＣ床板１０は、鉄筋コンクリート造の下面１０ａ及び上面１０ｂが平らな同じ厚さの板体で構成され、その平面視の形状は、図１に示すように、長辺部Ａと短辺部Ｂからなる矩形状になっており、各辺部Ａ，Ｂは平面視で波型になっている。
各辺部Ａ，Ｂの波型は、図２に示すように、同形の多数の２等辺三角形（図示のものは２等辺直角三角形）Ｔａの各底辺Ｔａ２を直線Ｓｌ上に続けて並べて各等辺部Ｔａ１からなる波形を形成し、この波形の上側の尖った部分を少し前記底辺に平行な直線Ｓｌ１で切除し、かつその下側の尖った部分を少し前記底辺に平行な直線Ｓｌ２で切除し、多数の等辺部Ｔａ１の切除されない部分の直線、上側の直線Ｓｌ１及び下側の直線Ｓｌ２からなる波形状の凹凸線により構成される形状であり、あるいは、図３に示すように、同形の多数の２等辺三角形（図示のものは２等辺直角三角形）Ｔａの各底辺Ｔａ２を直線Ｓｌ上に続けて並べて各等辺部Ｔａ１からなる波形を形成し、この波形の上側の尖った部分を少し円弧線Ｃｌ１で切除し、かつその下側の尖った部分を少し円弧線Ｃｌ２で切除し、多数の等辺部Ｔａ１の切除されない部分の直線、上側の円弧線Ｃｌ１及び下側の円弧線Ｃｌ２からなる波形状の凹凸線により構成される形状であり、上側及び下側は、直線Ｓｌ１，Ｓｌ２であっても曲線Ｃｌ１，Ｃｌ２であってもよい。
なお、上側の直線Ｓｌ１又は円弧線Ｃｌ１の部分が波型の頂部に相当し、下側の直線Ｓｌ２又は円弧線Ｃｌ２の部分が波型の谷部に相当する。
【００１１】
ＰＣ床板１０は、下側の鉄筋１１と上側の鉄筋１２とで補強されている。下側の鉄筋１１は、長辺部Ａと平行に間隔をおいて配された縦鉄筋１１ａと各縦鉄筋１１ａに対して直角にかつ間隔をおいて配された横鉄筋１１ｂとからなる格子状鉄筋、及び長辺部Ａの波型に沿って配されたいな妻形の鉄筋１１ｃ１と短辺部Ｂの波型に沿って配されたいな妻形の鉄筋１１ｃ２とからなるいな妻鉄筋１１ｃで構成されている。
上側の鉄筋１２は、長辺部Ａと平行に間隔をおいて配された縦鉄筋１２ａと縦鉄筋１２ａに対して直角にかつ間隔をおいて配された横鉄筋１２ｂとからなる格子状鉄筋、及び一つおきの横鉄筋１２ｂ間の長辺部Ａよりの部分に配されそれらの一端に矩形の接合用鉄板１４が溶接されていて間隔をおいて互いに平行にされた所定長さの２本の定着用鉄筋１２ｄで構成されている。
下側の鉄筋１１の縦鉄筋１１ａは、両短辺部Ｂの波型の頂部間に配され、下側の鉄筋１１の横鉄筋１１ｂも、両長辺部Ａの波形の頂部間に配され、下側の鉄筋１１の縦鉄筋１１ａ及び横鉄筋１１ｂの端が波型の各頂部にくるようになっている。
上側の鉄筋１２の縦鉄筋１２ａは、両短辺部Ｂの波型の谷部間に配され、各縦鉄筋１２ａの両端よりの部分は、短辺部Ｂの上半分の波型の谷部の端面から所定の長さ突出し、その突出した鉄筋部分が同じ平面内において一定の方向に傾斜して、接合鉄筋の接合用部分１２ａ１になっている。また、上側の鉄筋１２の横鉄筋１２ｂも、両長辺部Ａの波型の谷部間に配されている。
なお、鉄筋１１ａ，１１ｂ，１１ｃ，１２ａ，１２ｂ，１２ｄとしては、表面に凹凸のある異形鉄棒を用いる。
【００１２】
ＰＣ床板１０の短辺部Ｂは、図６及び図７に示すように、その端面１０ｄの中間に段部１０ｄ３があり、下半分の端面１０ｄ１が上半分の端面１０ｄ２より段部１０ｄ３分だけ小さく構成されている。すなわち、ＰＣ床板１０の短辺部Ｂは、平面視で図４に示すようになっている。
ＰＣ床板１０の長辺部Ａの一つおきの接合用鉄板１４の埋設部に対応する波型の頂部及びその近傍の部分以外は、図６〜図８に示すように、その端面１０ｃの中間に段部１０ｃ３が形成され、下半分の端面１０ｃ１が上半分の端面１０ｃ２より段部１０ｃ３分だけ小さく構成されている。
ＰＣ床板１０の長辺部Ａの一つおきの接合用鉄板１４に対応する波型の頂部及びその近傍の部分の端面１０ｃは、段差部がなく上半分の端面１０ｃ２と下半分の端面１０ｃ１とが面一１０ｃ２ａになっている。
そして、ＰＣ床板１０の長辺部Ａの波型の一つおきの頂部に対応する端面１０ｃよりの箇所には、それぞれ矩形の接合用鉄板１４が埋め込まれ、各接合鉄板１４の上側には平行に配された対の定着用鉄筋１２ｄが溶接Ｗｄ１により接合されている。
各接合用鉄板１４はＰＣ床板１０の上面１０ｂ及び下面１０ａに平行に埋め込まれ、各接合用鉄板１４の外側の長辺１４ａが、平面視でＰＣ床板１０の長辺部Ａの上半分の波型の谷部を結ぶ線と略重なるようになっている。これらの部分には、コンクリート造の傾斜面１０ｅ１，１０ｅ２，１０ｅ３からなる凹部１０ｅが形成され、凹部１０ｅはＰＣ床板の上面１０ｂに向けて開放しかつＰＣ床板の波型の端面１０ｃに達しており、この凹部１０ｅにより接合用鉄板１４の主な上面１４ｃが露出するようになっている。すなわち、接合用鉄板１４の露出する上面１４ｃに対応するＰＣ床板１０の長辺部Ａの波型が、平面視で図５に示すように、上半分の端面１０ｃ２と下半分の端面１０ｃ１とが面一の面１０ｃ２ａになっており、その近傍の上側の端面１０ｃ２と前記面１０ｃ２ａとが平面視の斜線１０ｃ２ｂで結ばれている。
【００１３】
鉄骨造の建物躯体１は、その１部が図１５に示されているように、その基礎上に多数の鉄骨柱２が建てられ、各鉄骨柱２間に鉄骨造の大梁３，４が配され、大梁３，４の両端が鉄骨柱２に接合され、各大梁３，４間等に鉄骨造の小梁が配され、小梁の両端が大梁３，４等に接合され、また、建物躯体１の周囲の鉄骨柱２の外側に鉄骨造の小梁５が配され、この小梁５の一端が鉄骨柱２に接合され、前記小梁５の他端に外壁等を支持する小梁６，６が接合されている。
【００１４】
次に、ＰＣ床板１０を建物躯体１のＨ形鋼の鉄骨梁４等への固着の仕方を説明する。
多数のＰＣ床板１０を、それらの周囲部の下面を鉄骨梁４の上側のフランジ４ａの平らな上面４ａ１上に載置する。
隣接する対のＰＣ床板１０の短辺部Ｂ同士は次のように接合する。
まず、図６及び図７に示すように、一方のＰＣ床板１０の短辺部Ｂの波型の谷部と他方のＰＣ床板１０の短辺部Ｂの波型の谷部とが間隔をおいて対向し、両方のＰＣ床板１０の短辺部Ｂの波型の谷部の端面から突出する縦鉄筋の接合用部分１２ａ１が小さい間隔をおいて互いに略平行になるように配置にする。
なお、両方のＰＣ床板１０の短辺部Ｂの端面１０ｄ，１０ｄ間に位置する鉄骨梁４の上側のフランジ４ａの平らな上面４ａ１に、予め多数のスタッドＳｄ１を植設しておく。上記スタッドＳｄ１としては、小径の幹部Ｓｄａの上部に前記幹部よりも大径の頭部Ｓｄｂを一体的に備えたスタッドを使い、その成は、例えば、ＰＣ床板１０の下面１０ａと上側の縦鉄筋１１ａの下面との間の間隔（寸法）に略一致するようにする。
図１３及び図１４に示すように、両方のＰＣ床板１０の平行に配置されて正面視で重ねられている各縦鉄筋１２ａの接合用部分１２ａ１に二つのスリーブＳｖを間隔Ｌ１（Ｌ１＝１０×ｄ以上、ｄは鉄筋径）をおいて嵌め、油圧工具を使って各スリーブＳｖの中央部の円形のウェッジ孔Ｓ１にウェッジＷｇを圧入し、縦鉄筋１２ａの接合用部分１２ａ１間にウェッジＷｇを食い込ませることにより、対の接合用部分１２ａ１を一体化させて接合する。同様のやり方で隣接するＰＣ床板１０の短辺部Ｂから突出する縦鉄筋１２ａの接合用部分１２ａ１同士を接続する。
それから、両方のＰＣ床板１０の短辺部Ｂ間の鉄骨梁４の上側のフランジ４ａの上面４ａ１上のコンクリート打設用の空間Ｓｐ１の各接合用部分１２ａ１の中央部上及び中央部の各スタッドＳｄ１上に流し鉄筋１３を配してから、前記空間Ｓｐ１にコンクリートを打設して、両方のＰＣ床板１０の短辺部Ｂを鉄骨梁４に固着しかつ両方のＰＣ床板１０の短辺部Ｂ同士を一体化する。
【００１５】
隣接する対のＰＣ床板１０の長辺部Ａ同士は次のように接合する。
まず、図８〜図１０に示すように、一方のＰＣ床板１０の長辺部Ａの波型の頂部と他方のＰＣ床板１０の長辺部Ａの波型の頂部とが間隔をおいて対向し、両方のＰＣ床板１０の長辺部Ａの一つおきの頂部に対応させて埋設した各接合鉄板１４同士が間隔をおいて配置されるようにする。
なお、両方のＰＣ床板１０の長辺部Ａ間に位置する鉄骨梁３の上側のフランジ３ａの平らな上面３ａ１に、予め多数のスタッドＳｄ２を間隔をおいて植設しておく。上記スタッドＳｄ２としては、前記スタッドＳｄ１と同じものを使い、その成は、例えば、ＰＣ床板１０の下面１０ａと各接合鉄板１４の上側面との間の寸法よりも少々小さくする。
両方のＰＣ床板１０の互いに対向する各接合用鉄板１４の露出面１４ｃ上に鋼製の細長い矩形の連結用鉄板１５を配し、前記露出面１４ａに対応する各連結用鉄板１５の周囲部等を各接合用鉄板１４の露出面１４ａに溶接Ｗｄ２により接合し、対向する各接合用鉄板１４を各連結用鉄板１５を介して一体化する。
【００１６】
それから、両方のＰＣ床板１０の長辺部Ａ間の梁３のフランジ３ａの上側の空間Ｓｐ２の各連結用鉄板１５の中央部上に流し鉄筋１３を配してから、前記空間Ｓｐ２にコンクリートを打設して、両方のＰＣ床板１０の長辺部Ａ及び鉄骨梁３を一体化する。
なお、梁３の上側で互いに対面しているＰＣ床板１０の長辺部Ａの波型の谷部の下側の端面１０ｃ１間の距離が梁３の上側のフランジ３ａの幅よりも大きい場合は、前記フランジ３ａの側縁に沿ったＰＣ床板１０の長辺部Ａの下面１０ａに堰板１６を当て、前記側縁と前記端面との間の隙間１７を塞いでから、コンクリートを打設する。
【００１７】
鉄骨造の建物躯体１の大梁等がカバープレート、ボルト・ナット等を使って接合されていて、その接合部の上側にカバープレートＣｐや多数のボルトｂが存在する場合には、次に述べるＰＣ床板２０を使用する。
ＰＣ床板２０は、ＰＣ床板１０と同様に、下側の鉄筋と上側の鉄筋とで補強され、下側の鉄筋及び上側の鉄筋の構成はＰＣ床板１０と同じである。
ＰＣ床板２０には、図１５に示すように、鉄骨梁３の多数のボルト・ナットｂ・ｎにより接合されたカバープレートＣｐに対応する長辺部Ａ１に大きな凹欠部Ａ１ａが形成されている。前記凹欠部Ａ１ａは、平面視で鉄骨梁３に対して平行でかつカバープレートＣｐの長さよりも少々長い長辺Ａ１ａ１と鉄骨梁３に対して直角な短い短辺Ａ１ａ２とで構成され、前記長辺Ａ１ａ１の部分は、ＰＣ床板１０の通常の長辺部Ａと同じ構成、すなわち、ＰＣ床板２０の長辺部Ａ１の一つおきの波型の頂部に対応する部分に接合用鉄板２４を埋め込んだ構成になっており、前記短辺Ａ１ａ２の部分は平面視で直線になっている。
柱２の角部２ａに対応するＰＣ床板２０の部分には、柱２の角部２ａの形状と略一致する形状でその角部２ａより少々大きい切欠部Ａ１ｂが形成されている。ＰＣ床板２０のその他の構成はＰＣ床板１０と同じである。
【００１８】
鉄骨造の建物躯体１の平面視の外周部に配置するＰＣ床板３０は、次のように構成されている。
ＰＣ床板３０は、ＰＣ床板１０と同様に、下側の鉄筋と上側の鉄筋とで補強されている。ＰＣ床板３０について以下に説明されていない事項は前記ＰＣ床板１０，２０と同様である。
ＰＣ床板３０は、図１５及び図１６に示すように、その一方の長辺部Ａ２はＰＣ床板２０の長辺部Ａ１と同じ構成になっている。その他方の長辺部Ａ３はその端縁が平面視で直線状になっていて、その端縁に沿いかつ長手方向に間隔をおいて多数の大径の逆円錐台形の貫通孔３６が形成されている。ＰＣ床板３０の短辺部Ｂ１は、前記ＰＣ床板１０の長辺部Ａの一つおきの波型の頂部に対応する部分に接合用鉄板１４を埋め込んだ構成と同じ構成になっている。また、柱２の角部２ａに対応するＰＣ床板３０の部分には、ＰＣ床板２０の切欠部Ａ１ｂと同様の切欠部Ａ２ｂが形成されている。さらに、前記他方の長辺部Ａ３には大きな凹部Ａ３ａが形成されている。
【００１９】
鉄骨造の建物躯体１の梁３，４の上側にＰＣ床板２０を載置し、かつ建物躯体１の梁３，５，６の上側にＰＣ床板３０を載置し、多数のボルト・ナットｂ・ｎにより鉄骨梁３に接合されたカバープレートＣｐに対応する部分にＰＣ床板２０の長辺部Ａ１の凹欠部Ａ１ａ及びＰＣ床板３０の長辺部の凹欠部を対応させるようにする。
そして、両方のＰＣ床板２０，３０の互いに対向する各接合用鉄板１４，２４の露出面上に鋼製の細長い矩形の連結用鉄板１５，２５を配し、前記露出面に対応する各連結用鉄板１５，２５の周囲部等を各接合用鉄板１４，２４の露出面に溶接により接合し、各接合用鉄板１４，２４を各連結用鉄板１５，２５を介して一体化する。両方のＰＣ床板２０，３０の長辺部Ａ１，Ａ２間に位置する鉄骨梁３の上側のフランジの上面に、予め多数のスタッドＳｄ３を植設しておく。
それから、両方のＰＣ床板２０，３０の長辺部Ａ１，Ａ２間の鉄骨梁３の上側のフランジの上側の空間Ｓｐ３の各連結用鉄板１５，２５の中央部上に流し鉄筋１３を配筋し、かつ前記凹欠部Ａ１ａに対応するＰＣ床板２０，３０の下面に堰板１６を当て、前記空間Ｓｐ３にコンクリートを打設して、ＰＣ床板２０，３０の長辺部Ａ１，Ａ２同士を一体化するとともに、ＰＣ床板２０，３０の長辺部Ａ１，Ａ２と鉄骨梁３とを一体化する。
【００２０】
ＰＣ床板２０の短辺部同士の接合は、ＰＣ床板１０の短辺部Ｂ同士の接合の仕方と同じである。
図１５及び図１６に示すように、ＰＣ床板３０の長辺部Ａ３の貫通孔３６の中心に対応する鉄骨梁６上にそれぞれスタッドＳｄ４を植設しておき、貫通孔３６内にコンクリートを打設して、ＰＣ床板３０の長辺部Ａ３と鉄骨梁６とを一体化する。ＰＣ床板３０の短辺部Ｂ１同士は、ＰＣ床板１０の長辺部Ａ同士の接合の仕方と同じである。
ＰＣ床板１０の短辺部Ｂが建物躯体１の外周壁９側にくる場合は、図１７に示すように、その短辺部Ｂはその端縁を平面視で直線状にし、前記外周部の梁７上に取り付けた外周壁９の支持体８に接近した位置に短辺部Ｂがくるようにして、鉄骨梁７には固定しなくてもよい。
【００２１】
【発明の作用効果】
この発明は、特許請求の範囲の各請求項に記載した構成を備えることにより、次の（イ）〜（リ）の作用効果を奏する。
（イ）請求項１の建物躯体の鉄骨梁へのＰＣ床板の固着方法は、ＰＣ床板の形状が平面視で長辺部及び短辺部を備えた矩形状にされ、ＰＣ床板の長辺部及び短辺部の少なくとも一つの辺部が平面視で波型にされ、該波型を同形の多数の２等辺三角形の各底辺を直線上に続けて並べて形成される多数の２等辺三角形の各等辺部が連続している波形の尖った部分を除いた形状にされ、ＰＣ床板が下側の鉄筋と上側の鉄筋とで補強され、下側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、下側の鉄筋の縦鉄筋又は横鉄筋の端が波型の各頂部にくるように配され、上側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、上側の鉄筋の縦鉄筋又は横鉄筋の端よりの部分が波型の各谷部を通るように配されて、波型の各谷部の上半分の端面から所定の長さ突出して、その突出した鉄筋部分により接合鉄筋の接合用部分が形成されており、対の各ＰＣ床板の波型にされた前記辺部の端面間にコンクリート打設用の空間が形成されるように、対のＰＣ床板の前記辺部の波型の端縁よりの部分を建物躯体の鉄骨梁上に載置し、各ＰＣ床板の前記辺部の前記接合鉄筋の接合用部分を前記空間中に突出させ、一方のＰＣ床板の前記空間中に突出した接合鉄筋の接合用部分と他方のＰＣ床板の前記空間中に突出した接合鉄筋の接合用部分とが略同じ平面上で接近して略平行になるようにし、前記空間内において略平行された対の接合鉄筋の接合用部分に二つの鋼製のスリーブを間隔をおいて嵌め、各スリーブのウェッジ孔にウェッジを圧入して、接合鉄筋の接合用部分を互いに接合し、前記空間に面する鉄骨梁の上面に頭部のあるスタッドを間隔をおいて多数植設しておき、前記空間内にコンクリートを打設して鉄骨梁と各ＰＣ床板及び各ＰＣ床板同士を接合するから、次の（１）〜（５）の効果を奏する。
（１）ＰＣ床板の互いに接合された各接合鉄筋の接合用部分と頭部のある多数のスタッドとの協働により、建物躯体の鉄骨梁上にデッキプレートを配設して鉄筋コンクリート造の床板を構築するデッキプレート床板構造と同等の構造特性を有する床板構造を得ることができる。
【００２２】
（２）ＰＣ床板の長辺部及び短辺部の少なくとも一つの辺部を平面視で波型にし、該波型を同形の多数の２等辺三角形の各底辺を直線上に続けて並べて形成される多数の２等辺三角形の各等辺部が連続している波形の尖った部分を除いた形状にしてあるから、ＰＣ床板が鉄骨梁に強固に接合してなる床板に大きな面内せん断耐力を付与することができる。
（３）コンクリート打設用の空間内において、一方のＰＣ床板の前記空間中に突出した接合鉄筋の接合用部分と他方のＰＣ床板の前記空間中に突出した接合鉄筋の接合用部分とが略同じ平面上で接近して略平行になるようにし、略平行された対の接合鉄筋の接合用部分に二つの鋼製のスリーブを間隔をおいて嵌め、各スリーブのウェッジ孔にウェッジを圧入して、接合鉄筋の接合用部分を互いに接合するから、接合鉄筋の接合用部分を強固にかつ施工性よく接合することができる。
（４）ＰＣ床板が下側の鉄筋と上側の鉄筋とで補強され、下側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、下側の鉄筋の縦鉄筋又は横鉄筋の端が波型の各頂部にくるように配され、上側の鉄筋が長辺部と平行に間隔をおいて配された縦鉄筋と該縦鉄筋に対して直角にかつ間隔をおいて配された横鉄筋とからなる格子状鉄筋で構成され、波型にされた前記辺部においては、上側の鉄筋の縦鉄筋又は横鉄筋の端よりの部分が波型の各谷部を通るように配されて、波型の各谷部の上半分の端面から所定の長さ突出して、その突出した鉄筋部分により接合鉄筋の接合用部分が形成されているから、接合鉄筋の接合用部分がＰＣ床板の上半分の波型の各谷部の端面から突出しているＰＣ床板の製作が容易になり、また、各接合鉄筋の接合用部分が対面するＰＣ床板の端面間に形成されるコンクリート打設用の空間の上側に位置して、略同じ平面上で接近して略平行になるから、接合鉄筋の接合用部分の鋼製のスリーブ及びウェッジを用いる接合作業を容易に行うことができる。
（５）下側の鉄筋の縦鉄筋又は横鉄筋の端が波型の各頂部にくるように配されるから、下側の鉄筋の縦鉄筋又は横鉄筋の端よりの部分により波型の各頂部が補強され、ＰＣ床板の辺部の波型の端縁よりの部分を鉄骨梁上に載置することにより、前記辺部の波型の頂部に大きな荷重がかかっても損傷するおそれがない。
したがって、建物躯体の鉄骨梁上にデッキプレートを配設して鉄筋コンクリート造の床板を構築するデッキプレート床板構造と同等の構造特性を有する床板を安価で提供できる。
【００２３】
（ロ）請求項２の建物躯体の鉄骨梁へのＰＣ床板の固着方法は、次の（１）〜（５）の効果を奏するだけでなく、次の（６）及び（７）の効果を奏する。
（６）ＰＣ床板の上側の格子状鉄筋の縦鉄筋又は横鉄筋からなる接合鉄筋の接合用部分を波型の谷部の上半分の端面から突出させる辺部にあっては、ＰＣ床板の下側の格子状鉄筋の周囲に波型の端縁部の端面に沿って波形に屈曲させたいな妻鉄筋が埋め込まれ、ＰＣ床板の下半分の波型の端縁よりの部分がいな妻鉄筋で補強され、かつＰＣ床板の下半分の波型の端縁部とＰＣ床板の上半分の波型の端縁部との間に段部があり、ＰＣ床板の上半分の波型の端縁部が前記段部分だけＰＣ床板の下半分の波型の端面から突出しているＰＣ床板を使うと、いな妻鉄筋で補強されたＰＣ床板の下半分の波型の端縁よりの部分が鉄骨梁の上面に接触するから、ＰＣ床板の辺部の端縁部に大きな荷重がかかっても損傷することがなく、また、対面する各ＰＣ床板の端面間に形成されたコンクリート打設用の空間は、各ＰＣ床板の下半分において広くなるから、前記空間に後打ちされるコンクリートと鉄骨梁の上面との接触面積が大きくなり、鉄骨梁上に後打ちされたコンクリートにより前記段部も支持されることになり、ＰＣ床板の波型の端縁部を鉄骨梁に強固に接合させかつ支持させることができる。そのうえ、ＰＣ床板と後打ちされたコンクリートとの接触面積も大きくなり、両者を強固に接合することができる。
（７）対面する各ＰＣ床板の端面間に形成されるコンクリート打設用の空間は、各ＰＣ床板の上半分において狭くなるが、接合鉄筋の接合用部分が前記空間内の上方の所に位置するから、接合鉄筋の接合用部分の鋼製のスリーブ及びウェッジを用いる接合作業に支障をきたすことがない。
【００２４】
（ハ）請求項３の建物躯体の鉄骨梁へのＰＣ床板の固着方法は、次の（８）及び（９）の効果を奏する。
（８）ＰＣ床板の形状を平面視で長辺部及び短辺部を備えた矩形状にし、ＰＣ床板の長辺部及び短辺部の少なくとも一つの辺部を平面視で波型にし、該波型を同形の多数の２等辺三角形の各底辺を直線上に続けて並べて形成される多数の２等辺三角形の各等辺部が連続している波形の尖った部分を除いた形状にし、対面する各ＰＣ床板の辺部の端面間にコンクリート打設用の空間が形成されるように、対のＰＣ床板の辺部の波型の端縁よりの部分を建物躯体の鉄骨梁上に載置し、前記各ＰＣ床板には、定着用鉄筋の端部に接合された接合用鉄板が前記床板の波型の端面よりの部分に間隔をおいて位置するように、多数の接合用鉄板及び該接合用鉄板に端部を接合した定着用鉄筋が前記床板中に埋め込まれていて、各接合用鉄板の上側に形成された凹部に各接合用鉄板の上面が露出させてあり、両方のＰＣ床板の対応する接合用鉄板間にそれぞれ細長の連結用鉄材を配し、各連結用鉄材の接合用鉄板に対応する部分を接合用鉄板に溶接し、前記打設用空間に面する鉄骨梁の上面に頭部のあるスタッドを間隔をおいて多数植設しておき、前記打設空間内にコンクリートを打設して鉄骨梁と各ＰＣ床板及び各ＰＣ床板同士を接合するから、各連結用鉄材の接合用鉄板に対応する部分を接合用鉄板に溶接する作業の施工性がよくなり、各連結用鉄材と頭部のある多数のスタッドとの協働により、建物躯体の鉄骨梁上にデッキプレートを配設して鉄筋コンクリート造の床板を構築するデッキプレート床板構造と同等の構造特性を有する床板を得ることができる。
（９）ＰＣ床板の長辺部及び短辺部の少なくとも一方の辺部を平面視で波型にし、該波型を同形の多数の２等辺三角形の各底辺を直線上に続けて並べて形成される多数の２等辺三角形の各等辺部が連続している波形の尖った部分を除いた形状にしてあるから、ＰＣ床板を鉄骨梁に強固に接合してなる床板に大きな面内せん断耐力を付与することができる。
（ニ）請求項４の建物躯体の鉄骨梁へのＰＣ床板の固着方法は、前記の（８）及び（９）の効果を奏するだけでなく、次の（１０）の効果を奏する。
（１０）対のＰＣ床板を一方のＰＣ床板の波型の頂部が他方のＰＣ床板の波型の頂部に対面し、前記対のＰＣ床板を一方のＰＣ床板の波型の谷部が他方のＰＣ床板の波型の谷部に対面するように、対のＰＣ床板の辺部の端縁よりの部分を建物躯体の鉄骨梁上に載置し、対面する各ＰＣ床板の端面間にコンクリート打設用の空間を形成し、前記各ＰＣ床板には、所定長さの定着用鉄筋の端部に接合された接合用鉄板が略水平にかつ前記床板の波型の頂部に対応する端縁よりの部分にくるように、多数の接合用鉄板及び該接合用鉄板に端部を接合した所定長さの定着用鉄筋が床板中に埋め込まれていて、前記床板の各接合用鉄板の上側に凹部が形成され、各接合用鉄板の上面の一部が前記凹部に露出させてあり、両方のＰＣ床板の対応する接合用鉄板間にそれぞれ細長の連結用鉄材を配し、各連結用鉄材の接合用鉄板に対応する部分を接合用鉄板に溶接するから、連結用鉄材の長さを短くすることができ、各連結用鉄材の接合用鉄板に対応する部分を接合用鉄板に溶接する溶接作業の施工性がよくなり、各連結用鉄材と頭部のある多数のスタッドとの協働により、建物躯体の鉄骨梁上にデッキプレートを配設して鉄筋コンクリート造の床板を構築するデッキプレート床板構造と同等の構造特性を有する床板を容易に得ることができる。
【００２５】
（ホ）請求項５の建物躯体の鉄骨梁へのＰＣ床板の固着方法は、前記の（８）〜（１０）の効果を奏するだけでなく、次の（１１）の効果を奏する。
（１１）対面するＰＣ床板の波型の一つおき又は二つ以上おきの頂部に対応させてそれぞれ接合用鉄板が埋め込まれ、各接合用鉄板の上側にＰＣ床板の上方に向けて開放しかつＰＣ床板の波型の端面に達するように形成された凹部に各接合用鉄板の上面の一部を露出させてあるＰＣ床板を使うから、対応する接合用鉄板の両方の上面に細長い真っ直ぐな連結用鉄材の置くだけで、各連結用鉄材の接合用鉄板に対応する部分を接合用鉄板に溶接することができ、溶接作業の施工性がよくなる。
（ヘ）請求項６の建物躯体の鉄骨梁へのＰＣ床板の固着方法は、前記の（８）〜（１１）の効果を奏するだけでなく、次の（１２）の効果を奏する。
（１２）ＰＣ床板が上下に間隔をおいて埋設された２層の格子状鉄筋で補強され、上側の格子状鉄筋の縦鉄筋及び横鉄筋の上側に接合用鉄板及び該接合用鉄板に端部を接合した所定長さの定着用鉄筋が埋設されているから、接合用鉄板の上側に形成する凹部の深さを大きくしなくても、各接合用鉄板の上面を露出させることができ、凹部の深さが大きくないことにより、各連結用鉄材の接合用鉄板に対応する部分を接合用鉄板に溶接する溶接作業の施工性がよくなる。
【００２６】
（ト）請求項７の建物躯体の鉄骨梁へのＰＣ床板の固着方法は、前記の（８）〜（１２）の効果を奏するだけでなく、次の（１３）及び（１４）の効果を奏する。
（１３）ＰＣ床板が上下に間隔をおいて埋設された２層の格子状鉄筋で補強され、下側の格子状鉄筋の周囲に波型の端縁部の端面に沿って波形に屈曲させたいな妻鉄筋が埋設され、ＰＣ床板の下半分の波型の端縁よりの部分がいな妻鉄筋で補強され、ＰＣ床板の接合用鉄板の埋設部に対応しない上半分の端縁部の波型の頂部及び波型の谷部にあっては、ＰＣ床板の下半分の波型の端縁部とＰＣ床板の上半分の波型の端縁部との間に段部があり、上半分の波型の端縁部が前記段部分だけＰＣ床板の下半分の波型の端縁部から突出し、ＰＣ床板の接合用鉄板の埋設部に対応する上半分の端縁部の波型の頂部及びその近傍の端縁部にあっては、上半分の端縁部の波型の頂部及びその近傍の端面がＰＣ床板の下半分の波型の頂部及びその近傍の端面と面一になっているＰＣ床板を使うため、対面する各ＰＣ床板の端面間に形成されたコンクリート打設用の空間は、ＰＣ床板の接合用鉄板の埋設部に対応しない端縁部の波型の頂部及び波型の谷部にあっては、各ＰＣ床板の下半分において広くなるから、前記空間に後打ちされるコンクリートと鉄骨梁の上面との接触面積が大きくなり、鉄骨梁上に後打ちされたコンクリートにより前記段部が支持されることになり、ＰＣ床板の波型の端縁部を鉄骨梁に強固に接合させかつ支持させることができる。そのうえ、ＰＣ床板と後打ちされたコンクリートとの接触面積も大きくなり、両者を強固に接合することができる。
（１４）ＰＣ床板の接合用鉄板の埋設部に対応する端縁部の波型の頂部及びその近傍（すなわち、接合用鉄板を露出させる凹部に対応する部分）にあっては、上半分の端縁部の波型の頂部及びその近傍の端面がＰＣ床板の下半分の波型の頂部及びその近傍の端面と面一になっているから、各接合用鉄板の上側の前記床板の上方に向けて開放しかつ前記床板の波型の端面に達するように凹部を形成しても、接合用鉄板の埋設部に対応する上半分の端縁部の波型の頂部及びその近傍の端縁部が破損し易くなることがない。
なお、いな妻鉄筋で補強されたＰＣ床板の下半分の波型の端縁よりの部分が鉄骨梁の上面に接触するから、ＰＣ床板の辺部の端縁よりの部分に大きな荷重がかかっても損傷することがない。
（チ）請求項８の建物躯体の鉄骨梁へのＰＣ床板の固着方法は、前記の（１）〜（１４）の効果を奏するだけでなく、次の（１５）の効果を奏する。
（１５）鉄骨梁の上側面に多数のボルト・ナットにより前記鉄骨梁に固定された梁接続用のカバープレートが存在する鉄骨梁上にＰＣ床板を載置して、該床板を鉄骨梁に固着するＰＣ床板として、前記カバープレートに対応するＰＣ床板の矩形状の辺部の部分に大きな凹欠部を形成し、前記辺部と平行な前記凹欠部の部分に前記辺部の波型と同じ波型を形成し、前記凹欠部の波型の頂部に対応する部分に接合用鉄板及び該接合用鉄板に端部を接合した定着用鉄筋を埋設し、波型の頂部の接合用鉄板の埋設部の上側に前記床板の上方に向けて開放した凹部を形成し、各凹部に接合用鉄板の上面の一部を露出させ、または前記凹欠部の上半分の波型の谷部の端面から前記床板の上半分に埋設された格子状鉄筋の縦鉄筋又は横鉄筋からなる接合用鉄筋の接合用部分を突出させてなるＰＣ床板を使うから、鉄骨梁上にカバープレートが存在していてもそれが邪魔にならず、ＰＣ床板の辺部の波型の端縁よりの部分を鉄骨梁上に支障なく載置しかつ容易に固着することができる。
【００２７】
（リ）請求項９の発明のＰＣ床板は、ＰＣ床板の形状が平面視で波型の長辺部及び短辺部を備えた矩形状にされ、前記波型を同形の多数の２等辺三角形の各底辺を直線上に続けて並べて形成される多数の２等辺三角形の各等辺部を連続させてなる波形の尖った部分を除いた形状にされ、ＰＣ床板中に２層の格子状鉄筋が上下に間隔をおいて埋め込まれ、ＰＣ床板の短辺部においては、上側の格子状鉄筋の縦鉄筋がＰＣ床板の上半分の端縁の波型の各谷部の端面から突出して、それらの突出した鉄筋部分により接合鉄筋の接合用部分が構成され、ＰＣ床板の長辺部においては、接合用鉄板及び該接合用鉄板に端部を接合した定着用鉄筋がＰＣ床板の上半分の前記波型の一つおき又は二つ以上おきの頂部に対応する部分に略水平に埋め込まれ、波型の前記頂部にある各接合用鉄板の上側に前記床板の上方に向けて開放させて凹部が形成され、各凹部に接合用鉄板の上面の一部が露出しているため、互い対面するＰＣ床板の短辺部同士は、対面するＰＣ床板の前記接合鉄筋の接合用部分を鋼製のスリーブ及びウェッジを用いて互いに接合することができ、また互い対面するＰＣ床板の長辺部同士は、対面するＰＣ床板の前記接合用鉄板を連結用鉄材を用いて溶接することにより互いに接合することができ、ＰＣ床板を載置する平面視の鉄骨梁の配置が変化しない限り、全く同じＰＣ床板を用いて建物躯体の鉄骨梁上にＰＣ床板からなる床を構築できる。
また、ＰＣ床板の種類を少なくできるから、建物躯体の鉄骨梁上にデッキプレートを配設して鉄筋コンクリート造の床板を構築するデッキプレート床板構造と同等の構造特性を有するＰＣ床板からなる床板を備えた鉄骨造の建物を安価で提供できる効果がある。
【図面の簡単な説明】
【図１】  実施例のＰＣ床板を概略的に示す平面図
【図２】  実施例の波頭及び波底が直線のＰＣ床板の縁部の波形を示す平面図
【図３】  実施例の波頭及び波底が円弧のＰＣ床板の縁部の波形を示す平面図
【図４】  実施例の波型の谷部の端面から接合鉄筋の接合用部分を突出される場合のＰＣ床板の辺部の波型を示す平面図
【図５】  実施例の波型の頂部に対応させて接合用鉄板を埋め込む場合のＰＣ床板の辺部の波型を示す平面図
【図６】  実施例の梁及びＰＣ床板の短辺部同士の接合の仕方を示す平面図
【図７】  図４に示すものをＸ１−Ｘ１で断面した側面図
【図８】  実施例の梁及びＰＣ床板の長辺部同士の接合の仕方を示す平面図
【図９】  図６に示すものをＸ２−Ｘ２で断面した側面図
【図１０】  図６に示すものをＹ１−Ｙ１で断面した正面図
【図１１】  実施例のＰＣ床板の下側の鉄筋の配筋の仕方を示す平面図
【図１２】  実施例のＰＣ床板の上側の鉄筋等の配筋の仕方を示す平面図
【図１３】  実施例のＰＣ床板の接合用部分の接合の仕方を示す平面図
【図１４】  図１２に示すものをＸ３−Ｘ３で断面した側面図
【図１５】  実施例の他の形式のＰＣ床板の形状、接合の仕方等を示す平面図
【図１６】  図１３に示すものをＸ４−Ｘ４で断面した側面図
【図１７】  実施例の建物の周囲に位置するＰＣ床板の短辺部と建物躯体との関係を示す縦断面図
【符号の説明】
１  建物躯体
２  柱
３〜７  梁
１０，２０，３０  ＰＣ床板
１０ａ  下面
１０ｂ  上面
１０ｃ  長辺部の端面
１０ｄ  短辺部の端面
１０ｃ１，１０ｄ１  下半分の端面
１０ｃ２，１０ｄ２  上半分の端面
１０ｃ３，１０ｄ３  段部
１１  下側の鉄筋
１１ａ  縦鉄筋
１１ｂ  横鉄筋
１１ｃ，１１ｃ１，１１ｃ２  いな妻鉄筋
１２  上側の鉄筋
１２ａ  縦鉄筋
１２ａ１  接合部分
１２ｂ  横鉄筋
１２ｄ  定着用鉄筋
１３  流し鉄筋
１４，２４  接合用鉄板
１４ｃ  露出面
１５，２５  連結用鉄板
３６  貫通孔
Ａ，Ａ１〜Ａ３  長辺部
Ａ１ａ  凹欠部
Ｂ，Ｂ１  短辺部
Ｃｐ  カバープレート
Ｓｄ１〜Ｓｄ１  スタッド
Ｓｐ１〜Ｓｐ３  空間
Ｓｖ  スリーブ
Ｗｄ１，Ｗｄ２  溶接
Ｗｇ  ウェッジ
【図１】
0003728716.tif 000002
【図２】
0003728716.tif 000003
【図３】
0003728716.tif 000004
【図４】
0003728716.tif 000005
【図５】
0003728716.tif 000006
【図６】
0003728716.tif 000007
【図７】
0003728716.tif 000008
【図８】
0003728716.tif 000009
【図９】
0003728716.tif 000010
【図１０】
0003728716.tif 000011
【図１１】
0003728716.tif 000012
【図１２】
0003728716.tif 000013
【図１３】
0003728716.tif 000014
【図１４】
0003728716.tif 000015
【図１５】
0003728716.tif 000016
【図１６】
0003728716.tif 000017
【図１７】
0003728716.tif 000018